Podtech/llm-jp-corpus-v4-ja_patent huggingface dataset:
【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  （ｉ）０．４ないし２．５重量％の範囲の水を含み；
（ｉｉ）１７４９、１７０３、１６４５、１６２３、１３６５および７３６ｃｍ-1でのピークを含む赤外スペクトルを示し；および／または
（ｉｉｉ）実質的に表Ｉに示すようなＸ線粉末回折（ＸＲＰＤ）図形を示し；および／または
（ｉｖ）３１０６、３０６９、３００２、２９６１、１７５０、１７１８、１６８４、１３８５、１３３５、１２２９、１０７８、９１７、４２８および３４９ｃｍ-1でのピークを含むラマンスペクトルを示し；および／または
（ｉｖ）実質的に表ＩＩに示すような化学シフトを含む固相核磁気共鳴スペクトルを示すことを特徴とする５−［４−［２−（Ｎ−メチル−Ｎ−（２−ピリジル）アミノ）エトキシ］ベンジル］チアゾリジン−２，４−ジオン・マレイン酸塩の水和物。
【請求項２】  水分量が１．５ないし２．０重量％である請求項１記載の水和物。
【請求項３】  実質的に図Ｉに示す赤外スペクトルを示す請求項１または２記載の水和物。
【請求項４】  実質的に図ＩＩに示すようなＸ線粉末回折（ＸＲＰＤ）図形を示す請求項１ないし３のいずれか１つ記載の水和物。
【請求項５】  実質的に図ＩＩＩに示すようなラマンスペクトルを示す請求項１ないし４のいずれか１つ記載の水和物。
【請求項６】  実質的に図ＩＶの固相核磁気共鳴スペクトルを示す請求項１ないし５のいずれか１つ記載の水和物。
【請求項７】  単離された形態の請求項１ないし６のいずれか１つ記載の水和物。
【請求項８】  純粋な形態の請求項１ないし７のいずれか１つ記載の水和物。
【請求項９】  結晶形態の請求項１ないし８のいずれか１つ記載の水和物。
【請求項１０】  請求項１ないし９のいずれか１つ記載の水和物の再水和可能な形態の化合物。
【請求項１１】  ５−［４−［２−（Ｎ−メチル−Ｎ−（２−ピリジル）アミノ）エトキシ］ベンジル］チアゾリジン−２，４−ジオン・マレイン酸塩が１５ないし２５容量％の水を含有するエタノールから結晶化されることを特徴とする請求項１記載の水和物の調製法。
【請求項１２】  有効で無毒量の請求項１記載の水和物と医薬上許容される担体とを含んでなる医薬組成物。
【請求項１３】  活性な治療物質として用いられる請求項１記載の水和物。
【請求項１４】  糖尿病、糖尿病に付随する症状およびその合併症の治療および／または予防に用いられる請求項１記載の水和物。
【請求項１５】  糖尿病、糖尿病に付随する症状およびその合併症の治療および／または予防用医薬を製造するための水和物の使用。
【請求項１６】  ヒト以外の哺乳動物における、有効で無毒量の水和物をこれを必要とするヒト以外の哺乳動物に投与することからなる糖尿病、糖尿病に付随する症状およびその合併症の治療および／または予防法。
【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】  界面活性脂肪アルコール水性分散液を油成分および染毛料と低温で攪拌混合することを含んで成る、粘性の改善された染毛製剤の製法。
【請求項２】  式（Ｉ）：
Ｒ１ＯＨ        （Ｉ）
［式中、Ｒ１は、炭素数６〜３０の、直鎖または分枝状、飽和または不飽和アルキル基である。］
で示される脂肪アルコールを含有する分散液を使用する請求項１記載の方法。
【請求項３】  脂肪アルコールを分散液に対して５〜５０重量％の量で含有する分散液を使用する請求項１または２記載の方法。
【請求項４】  アニオン性、ノニオン性、カチオン性および／または両性もしくは双性イオン性界面活性剤を含有する分散液を使用する請求項１〜３のいずれかに記載の方法。
【請求項５】  界面活性剤を分散液に対して０．１〜１０重量％の量で含有する分散液を使用する請求項１〜４のいずれかに記載の方法。
【請求項６】  粒子サイズが５０μｍ未満である分散液を使用する請求項１〜５のいずれかに記載の方法。
【請求項７】  炭素数６〜１８の脂肪アルコールから誘導するゲルベアルコール、直鎖Ｃ６−２２脂肪酸と直鎖Ｃ６−２２脂肪アルコールとのエステル、分枝状Ｃ６−１３カルボン酸と直鎖Ｃ６−２２脂肪アルコールとのエステル、直鎖Ｃ６−２２脂肪酸と分枝状アルコールとのエステル、直鎖および／または分枝状脂肪酸と多価アルコールおよび／またはゲルベアルコールとのエステル、Ｃ６−１０脂肪酸トリグリセリド、Ｃ６−１８脂肪酸の液体モノ−／ジ−／トリグリセリド混合物、Ｃ６−２２脂肪アルコールおよび／またはゲルベアルコールと芳香族カルボン酸とのエステル、Ｃ２−１２ジカルボン酸と直鎖もしくは分枝状Ｃ１−２２アルコールまたはヒドロキシル基数２〜６のＣ２−１０ポリオールとのエステル、植物油、分枝状第一級アルコール、置換シクロヘキサン、直鎖Ｃ６−２２脂肪アルコールカーボネート、ゲルベカーボネート、安息香酸と直鎖および／または分枝状Ｃ６−２２アルコールとのエステル、ジアルキルエーテル、エポキシ化脂肪酸エステルのポリオールによる開環生成物、シリコーン油、および／または脂肪族もしくはナフテン族炭化水素から成る群から選択する油成分を使用する請求項１〜３のいずれかに記載の方法。
【請求項８】  直接染料および／または酸化染料を使用する請求項１〜７のいずれかに記載の方法。
【請求項９】  ポリマー増粘剤を使用する請求項１〜８のいずれかに記載の方法。
【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】
エナンチオ選択性リパーゼ酵素の存在下でアミンの一つの鏡像体をアルキルエステルと選択的に反応させて該鏡像体のアミドを生成し、必要ならば更に反応させた後に該アミドを未反応鏡像体から分離することを含むキラルアミンの分離方法において、該エステルの酸成分が１乃至１０の炭素原子を有し、親酸が式ＲＣＯＯＨ（式中Ｒはヒドロカルビル基である）を有し、該エステルのアルキル基がイソアルキル基であることを特徴とするキラルアミンの分離方法。
【請求項２】
該イソアルキル基がイソブチル基またはイソプロピル基である請求項１の方法。
【請求項３】
該未反応の鏡像体がそのまま回収される請求項１または２の方法。
【請求項４】
該反応鏡像体が加水分解により元のアミン鏡像体に転換される請求項１または２の方法。
【請求項５】
該反応鏡像体がそのアミドの形で使用される請求項１または２の方法。
【請求項６】
該ヒドロカルビル基Ｒが１乃至４の炭素原子を有する非置換のアルキル基である請求項１乃至５のいずれかの方法。
【請求項７】
該アミンが式
【化１】
2002508189.tif 000001
（式中Ｒ1およびＲ2はアルキル、シクロアルキル、アルケニルまたはアルキニルまたはアリール基、または例えば、ＮＯ2、ＳＯ3Ｈ、ＣＯＯＲ4、Ｃｌ、Ｂｒ、Ｆ、Ｉ、ＯＨ、ＳＯ、ＳＯ2、ＣＮまたはアルコキシで置換された、アリール置換の場合はＮＨ2で置換された基であり、Ｒ1とＲ2は異なり、Ｒ3は水素、アルキル、シクロアルキル、アルケニル、アルキニルまたアリール基、または例えば、ＮＯ2、ＳＯ3Ｈ、ＣＯＯＨ、Ｃｌ、Ｂｒ、Ｆ、Ｉ、ＯＨ、ＳＯ、ＳＯ2またはＣＮで置換された基であり、そしてＲ4はアルキル、シクロアルキル、アルケニル、アルキニル、または要すれば、１以上のＮＯ2、ＳＯ3Ｈ、ＣＯＯＲ3、Ｃｌ、Ｂｒ、Ｆ、Ｉ、ＯＨ、ＳＯ、ＳＯ2、ＣＮまたはアルコキシ基で置換される基である）を有する請求項１乃至６のいずれかの方法。
【請求項８】
該アミンが式
【化２】
2002508189.tif 000002
（式中、Ｒ4は、例えば１乃至１２、好ましくは１乃至６の炭素原子を有するアルキル基であり、そしてＲ5はアリール基、好ましくはナフチル基、アルキル基またはシクロアルキル基であり、いずれの場合も要すれば１以上のアルコキシ、ヒドロキシ、ハロゲンおよび／または−ＣＮ基で置換される基であり、またはナフチル基の場合にはアミン基または好ましくは前記置換基の全てにおいて総計で多くとも１２の、更に好ましくは多くとも６の炭素原子を有する基で要すれば置換される基である）を有する請求項７の方法。
【請求項９】
該アミンに基づき１０乃至５０重量％のリパーゼが存在する請求項１乃至８のいずれかの方法。
【請求項１０】
該リパーゼが固体支持体に担持されている請求項１乃至９のいずれかの方法。
【請求項１１】
ＯＨ及びＮＨ2基を含有しないエステル、エーテルまたは炭化水素である溶媒またはハロゲン化炭化水素の存在下で行なわれる請求項１乃至１０のいずれかの方法。
【請求項１２】
２０乃至６０℃の温度で行なわれる請求項１乃至１１のいずれかの方法。
【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】  配列番号１、配列番号３、または配列番号９のDNA配列を含む、単離された核酸分子。
【請求項２】  配列番号２、配列番号４、または配列番号１０の配列を含むアミノ酸配列をコードする、単離された核酸分子。
【請求項３】  細胞障害性Tリンパ球活性を増強できるポリペプチドをコードする単離された核酸分子であって、50％ホルムアミド及び６×SSC中、42℃の中程度のストリンジェンシー条件、及び60℃、0.5×SSC、0.1%SDSの洗浄条件下で請求項１または２のいずれか１項に記載の核酸配列を含む変性した２本鎖DNAのいずれかの鎖とハイブリダイズする核酸分子。
【請求項４】  UL-16に結合するアミノ酸配列をコードする、請求項3に記載の核酸分子。
【請求項５】  以下の核酸分子：
(a)配列番号２のアミノ酸30〜200、配列番号４のアミノ酸30〜200、又は配列番号１０のアミノ酸26〜196を含むポリペプチドをコードする核酸、
(b)前記(a)の核酸の対立遺伝子変異型、
(c)前記(a)のポリペプチドに対して少なくとも90％の同一性を有するポリペプチドをコードする核酸であって、該ポリペプチドが細胞障害性Tリンパ球活性を増強できる核酸、
からなる群から選択される、単離された核酸分子。
【請求項６】  請求項１、２、３、４、又は５のいずれか1項に記載の核酸分子からなる群から選択される核酸分子の発現を指令する組み換えベクター。
【請求項７】  請求項１、２、３、４、又は５のいずれか1項に記載の核酸分子からなる群から選択される核酸分子によってコードされた単離されたポリペプチド。
【請求項８】  SDS-PAGEによる測定でおよそ31kDの分子量を有する請求項７に記載の単離されたポリペプチド。
【請求項９】  非グリコシル化形態にある請求項７に記載の単離されたポリペプチド。
【請求項１０】  配列番号２、配列番号４又は配列番号１０のアミノ酸配列からなるポリペプチドに結合する、単離された抗体。
【請求項１１】  モノクローナル抗体である、請求項１０に記載の単離された抗体。
【請求項１２】  ブロック抗体である、請求項１０又は１１に記載の単離された抗体。
【請求項１３】  アゴニスト的抗体である、請求項１０又は１１に記載の単離された抗体。
【請求項１４】  請求項６に記載のベクターでトランスフェクトまたは形質導入した宿主細胞。
【請求項１５】  異種調節エレメントと機能的に結合している請求項１〜５のいずれか1項記載の核酸を含む、遺伝子操作した宿主細胞。
【請求項１６】  発現を促進する条件下で請求項１４または１５に記載の宿主細胞を培養することを含む、ポリペプチドの製造方法。
【請求項１７】  前記のポリペプチドを回収することをさらに含む、請求項１６に記載の方法。
【請求項１８】  配列番号２、配列番号４、または配列番号１０の断片を含むULBPポリペプチドであって、該断片が細胞障害性Tリンパ球活性を増強できる、該ULBPポリペプチド。
【請求項１９】  配列番号２の少なくとも２０の連続したアミノ酸からなる断片を含む、ULBPポリペプチド。
【請求項２０】  以下のポリペプチド：
(a)配列番号２または配列番号４のアミノ酸30〜117を含むポリペプチド、
(b)配列番号１０のアミノ酸26〜113を含み、細胞障害性Tリンパ球活性を増強できるポリペプチド、
(c)配列番号２または配列番号４のアミノ酸118〜200を含むポリペプチド、
(d)配列番号１０のアミノ酸114〜196を含むポリペプチド、
(e)配列番号２のアミノ酸ｘ〜ｙを含むポリペプチド（ただし、ｘは20以上30以下から選択される整数であり、ｙは200以上227以下から選択される整数である）、
(f)配列番号４のアミノ酸ｘ'〜ｙ'を含むポリペプチド（ただし、ｘ'は20以上30以下から選択される整数であり、ｙ'は200以上227以下から選択される整数である）、
(g)配列番号１０のアミノ酸ｘ”〜ｙ”を含むポリペプチド（ただし、ｘ”は16以上26以下から選択される整数であり、ｙ”は196以上223以下から選択される整数である）、
(h)ポリペプチド(a)〜(g)の少なくとも１つのアミノ酸に対して少なくとも90％の同一性を有するアミノ酸配列を含み、細胞障害性Tリンパ球活性を増強できるポリペプチド、
からなる群から選択される、単離されたポリペプチド。
【請求項２１】  リンパ腫細胞を検出する方法であって、生物学的サンプルをULBP-1（配列番号２）、ULBP-2（配列番号４）、またはULBP-3（配列番号１０）に特異的に結合する抗体と共にインキュベートし、形成された複合体を検出することを含む、上記方法。
【請求項２２】  ULBP逆構造分子により媒介される生物活性を阻害する薬剤製造のための請求項１０、１１又は１２のいずれか1項に記載の抗体の使用。
【請求項２３】  ULBP逆構造分子又はULBP逆構造分子を発現する細胞を精製する、インビトロの方法であって、請求項７に記載のULBPタンパク質を細胞又はタンパク質の混合物と接触させる工程と、ULBPタンパク質に結合する細胞又はタンパク質を混合物から単離する工程を含む、方法。
【請求項２４】  IFN-γ産生を上昇させる、ナチュラルキラー細胞の増殖を上昇させる、または細胞障害性Ｔリンパ球活性を上昇させるための、薬剤製造における請求項７に記載のULBPポリプチドの使用。
【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  心筋トロポニンＩおよび心筋トロポニンＣを含む一本鎖ポリペプチドをコードする遺伝子配列。
【請求項２】  リンカーポリペプチド配列に対するリンカー遺伝子配列が、心筋トロポニンＩと心筋トロポニンＣの遺伝子配列の間に挟まれている、請求項１記載の遺伝子配列。
【請求項３】  請求項１または２記載の遺伝子配列を含む複製し得るクローニングまたは発現ベヒクル。
【請求項４】  プラスミドである請求項３記載のベヒクル。
【請求項５】  請求項３記載のベヒクルで形質転換された宿主細胞。
【請求項６】  請求項１または２記載の遺伝子配列を含む複製し得るクローニングまたは発現ベヒクルで形質転換されたＥ．ｃｏｌｉ。
【請求項７】  （ＳＥＱ  ＩＤ  ＮＯ：３）として同定された請求項２記載の遺伝子配列。
【請求項８】  （ＳＥＱ  ＩＤ  ＮＯ：３）に示された配列を有する複製し得るクローニングまたは発現ベヒクル。
【請求項９】  請求項８記載のベヒクルで形質転換された宿主細胞。
【請求項１０】  Ｅ．ｃｏｌｉである請求項９記載の宿主細胞。
【請求項１１】  アメリカン  タイプ  カルチャー  コレクションに寄託され、ＡＴＣＣ９８６２０を与えられた請求項１０記載のＥ．ｃｏｌｉ。
【請求項１２】  遺伝子リンカー配列が、約１８から約１５０ヌクレオチドを含む請求項２記載の遺伝子配列。
【請求項１３】  心筋トロポニンＩと心筋トロポニンＣを含む一本鎖ポリペプチド。
【請求項１４】  ペプチドリンカー配列が、心筋トロポニンＩと心筋トロポニンＣの間に挟まれた、請求項１３記載のポリペプチド。
【請求項１５】  （ＳＥＱ  ＩＤ  ＮＯ：４）に記載のアミノ酸配列を有する請求項１４記載のポリペプチド。
【請求項１６】  ペプチドリンカー配列が約６乃至５０のアミノ酸を有する請求項１３記載のポリペプチド。
【請求項１７】  Ｎ末端において、ペプチドリンカー配列によって、心筋トロポニンＣのＣ末端に結合され、ペプチドリンカーの配列がＳＥＱ  ＩＤ  ＮＯ：２で特定された、心筋トロポニンＩを含む一本鎖ポリペプチド。
【請求項１８】  一本鎖ポリペプチドがＳＥＱ  ＩＤ  ＮＯ：４で特定された配列を含む一本鎖ポリペプチドである請求項１７記載の一本鎖ポリペプチド。
【請求項１９】  心筋トロポニンＩの配列がＳＥＱ  ＩＤ  ＮＯ：６で特定された、請求項１７記載の一本鎖ポリペプチド。
【請求項２０】  請求項１７記載の一本鎖ポリペプチドをコードするポリペプチドヌクレオチド。
【請求項２１】  ＳＥＱ  ＩＤ  ＮＯ：４で特定された配列を含む一本鎖ポリペプチドをコードする請求項２０記載のポリヌクレオチド。
【請求項２２】  ＳＥＱ  ＩＤ  ＮＯ：３で特定された配列を含むポリヌクレオチドである請求項２１記載のポリヌクレオチド。
【請求項２３】  コードされた心筋トロポニンＩの配列がＳＥＱ  ＩＤ  ＮＯ：６で特定された、請求項２０記載のポリヌクレオチド。
【請求項２４】  トロポニンＩをコードするポリヌクレオチド配列がＳＥＱ  ＩＤ  ＮＯ：５で特定された配列を含む請求項２３記載のポリヌクレオチド。
【請求項２５】  請求項２０記載のポリヌクレオチドを含むクローニングまたは発現ベクター。
【請求項２６】  請求項２５記載の発現ベクターで形質転換された宿主細胞。
【請求項２７】  Ｅ．ｃｏｌｉである請求項２６記載の宿主細胞。
【請求項２８】  アメリカン  タイプ  カルチャー  コレクションに寄託され、ＡＴＣＣ９８６２０を与えられた請求項２７記載のＥ．ｃｏｌｉ。
【請求項２９】  請求項１７記載の一本鎖ポリペプチドを含むトロポニンＩ測定用の対照またはキャリブレーター組成物。
【請求項３０】  試料中のトロポニンＩを定量するための方法であって、以下のステップを含む方法：
ａ）  標準として請求項１７記載の一本鎖トロポニンＩの既知量を検出し、
ｂ）  試料中のトロポニンＩの未知の量を検出し、
ｃ）  試料中のトロポニンＩの未知の量を、標準としての一本鎖ポリペプチドの既知の量で補正する。
【手続補正２】
【補正対象書類名】明細書
【補正対象項目名】００３４
【補正方法】変更
【補正の内容】
【００３４】
一本鎖トロポニンＩ−トロポニンＣポリペプチドを発現するＥ．ｃｏｌｉ株は１９９７年１２月１８日、アメリカン  タイプ  カルチャー  コレクションに寄託され、ＡＴＣＣ９８６２０を与えられた。
【手続補正３】
【補正対象書類名】明細書
【補正対象項目名】００３８
【補正方法】変更
【補正の内容】
【００３８】
実施例３
一本鎖トロポニンＩ−Ｃポリペプチドの安定性
トロポニンＩを含む３つの調製物の安定性を４℃、７日間貯蔵の間、行った。調製物は、（１）標準法で調製した組換えトロポニンＩ；（２）組換えトロポニンＩおよび組換えＣの非共有結合複合体、および（３）ＳＥＱ  ＩＤ  ＮＯ：４に示すような、間に挟まれたリンカーペプチドを有するトロポニンＩおよびトロポニンＣを含む一本鎖ポリペプチドであった。組換えトロポニンＩおよび組換えトロポニンＣの非共有結合複合体は、米国特許５，８３４，２１０号および６，０６０，２７８号明細書記載の方法によって調製された。簡単に云うと、ヒト心筋トロポニンＣおよび修飾トロポニンＩをＥ．ｃｏｌｉで発現させた。トロポニンＩは、その発現を増加させるために、６つの付加的Ｎ末端アミノ酸残基と組替え産物として遺伝子工学処理した。尿素の存在下、修飾トロポニンＩは、トロポニンＣ、ＣａＣｌ２およびＭｇＣｌ２と結合させた、そしてトロポニンＩ−トロポニンＣ複合体の形成を促進するためゆっくりと振とうした。
【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  注入ガスを或る注入圧力で含む体腔の開口にアクセスする装置であって、
開口に流体連通するアクセスチャンネルを形成し、開口を介する体腔からの注入ガスの流れを作動信号に応答して制限する制御可能バルブ、
注入圧力に対応する出力信号を出力するセンサ、および
センサによって与えられる出力信号に応答して前記制御可能バルブに作動信号を与えるコントローラ、
を備える装置。
【請求項２】  出力信号が所望の注入圧力より低い注入圧力を示すとき、コントローラが前記作動信号を生成する請求項１記載の装置。
【請求項３】  制御可能バルブが膨張可能なブラダーを備える請求項１記載の装置。
【請求項４】  膨張可能なブラダーが環状である請求項３記載の装置。
【請求項５】  膨張可能な環状ブラダーが円錐形である請求項４記載の装置。
【請求項６】  膨張可能な環状ブラダーが分割されてなる請求項４記載の装置。
【請求項７】  環状ブラダーが前記開口に嵌入するサイズを有する請求項４記載の装置。
【請求項８】  制御可能バルブがアイリスバルブからなる請求項１記載の装置。
【請求項９】  出力信号が電気信号である請求項１記載の装置。
【請求項１０】  注入ガスを或る注入圧力で含む体腔の或る領域の開口にアクセスするシステムであって、
それを通じて前記開口にアクセスできるブラダー開口とチャンバーとを形成する膨張可能な環状ブラダー、
チャンバーと選択的に流体連通する第１加圧ガス源、
注入圧力に対応する出力信号を出力する注入圧力センサ、および
注入圧力センサにより与えられる出力信号に応答して第１制御信号を出力し、第１加圧ガス源を制御してチャンバーに加圧ガスを供給するコントローラ、
を備えるシステム。
【請求項１１】  出力信号が所定の注入圧力より低い注入圧力を示すとき、コントローラは第１制御信号を出力する請求項１０記載のシステム。
【請求項１２】  出力信号が所定圧力よりも高い注入圧力を示すとき、コントローラは第１制御信号を出力しない請求項１０記載のシステム。
【請求項１３】  体腔に選択的に流体連通する第２加圧ガス源をさらに備え、出力信号が所定注入圧力より低い注入圧力を示すとき、コントローラは注入圧力センサによって与えられる出力信号に応答して第２制御信号を出力し、第２加圧ガス源を制御して体腔に加圧ガスを供給させる請求項１０記載のシステム。
【請求項１４】  体腔に選択的に流体連通する第２加圧ガス源をさらに備え、出力信号が所定注入圧力より高い注入圧力を示すとき、コントローラは注入圧力センサによって与えられる出力信号に応答して第２制御信号を出力し、第２加圧ガス源を制御して体腔に加圧ガスを供給させない請求項１０記載のシステム。
【請求項１５】  ブラダーのチャンバー内の圧力に対応するチャンバー圧力信号を出力するチャンバー圧力センサと、
注入圧力が所定注入圧力よりも低い間に、注入圧力センサの出力信号とチャンバー圧力信号とに応答してチャンバー圧力が所定チャンバー圧力に達したことを示す指示器とをさらに備える請求項１０記載のシステム。
【請求項１６】  注入ガスを或る注入圧力で含む体腔の開口にアクセスする装置であって、
１つ以上の手術器具を受け入れるサイズと形状とを有する通路を形成し、対向して開く第１および第２端部を備えたハウジングと、
対向する第１および第２端部の中央でハウジング内に設置され、加圧された流体を受け入れる形態を有する膨張可能なブラダーとを備え、受け入れる流体の圧力が注入圧力の関数である装置。
【請求項１７】  ブラダーが環状で、それを通じて体の開口にアクセスできるブラダー開口を形成する請求項１６記載の装置。
【請求項１８】  ブラダーが円錐形である請求項１７記載の装置。
【請求項１９】  ブラダーが分割されてなる請求項１６記載の装置。
【請求項２０】  ブラダーが体の開口に嵌入するサイズを有する請求項１６記載の装置。
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
上皮成長因子受容体（EGFR）をコードする核酸に相補的な合成オリゴヌクレオチドであって、245〜1117位、2407〜3201位、3786〜4102位、および4574〜4633位からなる群より選択されるEGFR mRNA領域に相補的なオリゴヌクレオチド。
【請求項２】
約12〜25ヌクレオチドを有する、請求項1記載のオリゴヌクレオチド。
【請求項３】
長さが約20ヌクレオチドである、請求項2記載のオリゴヌクレオチド。
【請求項４】
少なくとも1つのホスホロチオエートヌクレオチド間結合を含む、請求項1記載のオリゴヌクレオチド。
【請求項５】
2'-修飾リボヌクレオチドを含む、請求項1記載のオリゴヌクレオチド。
【請求項６】
2'-修飾リボヌクレオチドを含む、請求項4記載のオリゴヌクレオチド。
【請求項７】
少なくとも4個の2'-修飾リボヌクレオチドを含む、請求項4記載のオリゴヌクレオチド。
【請求項８】
2'-修飾リボヌクレオチドが2'-アルキルリボヌクレオチドである、請求項4記載のオリゴヌクレオチド。
【請求項９】
2407〜2476位、4040〜4102位、および4574〜4633位からなる群より選択されるEGFR mRNA領域に相補的である、請求項1記載のオリゴヌクレオチド。
【請求項１０】
上皮成長因子受容体（EGFR）をコードする核酸に相補的な合成オリゴヌクレオチドが、配列番号：1、2、3、4、5、6、7、8、9、10、11、12、13、14、15、16、17、18、19、20、21、または22を有する、請求項1記載のオリゴヌクレオチド。
【請求項１１】
細胞に請求項1記載のオリゴヌクレオチドを接触させる段階を含む、機能性EGFRを発現する細胞における上皮成長因子受容体（EGFR）の合成を抑制する方法。
【請求項１２】
細胞に請求項1記載のオリゴヌクレオチドを接触させる段階を含む、機能性の上皮成長因子受容体（EGFR）を発現する癌細胞の成長を抑制する方法。
【請求項１３】
癌細胞が結腸癌、卵巣癌、または乳癌の細胞である、請求項12記載の方法。
【請求項１４】
細胞に請求項1記載のオリゴヌクレオチドを接触させる段階を含む、機能性の上皮成長因子受容体（EGFR）を発現する癌細胞のアポトーシスを促進する方法。
【請求項１５】
癌細胞が結腸癌、卵巣癌、または乳癌の細胞である、請求項14記載の方法。
【請求項１６】
細胞に請求項1記載のオリゴヌクレオチド、および細胞毒性物質を接触させる段階を含む、細胞毒性物質の癌細胞に対する成長抑制作用を強化する方法。
【請求項１７】
癌細胞が結腸癌、卵巣癌、または乳癌の細胞である、請求項16記載の方法。
【請求項１８】
細胞毒性物質が、シスプラチン、ドキソルビシン、パクリタキセル、トポテカン、カンプトサール、およびタキソテールからなる群より選択される、請求項14記載の方法。
【手続補正２】
【補正対象書類名】明細書
【補正対象項目名】００４２
【補正方法】変更
【補正の内容】
【００４２】
（表4）抗EGFR 20-merのアンチセンスMBOがGEO細胞の成長に及ぼす作用：
2004528851.tif 000001
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
ナイロン６の製造方法であって、
ａ）（１）脱水触媒の存在下で、スチームまたは水のどちらか一方と６−アミノカプロニトリルとを接触させて、主部分のカプロラクタムと副部分の６−アミノカプロニトリルとを含む第１フィード流れを作り出す工程、または（２）高温および過圧で、６−アミノカプロニトリルと水とを接触させて、百万グラムのナイロン６プレポリマー当たり約４０グラム当量より多い未反応ニトリル末端基を有する主部分のナイロン６プレポリマーと、副部分の６−アミノカプロニトリルとを含む第２フィード流れを作り出す工程と、
ｂ）複数段を確立するための、および前記第１および／または第２フィード流れと向流に流れるスチーム流れとの接触をもたらすための内部有孔障壁手段を備えている、トップとボトムとを有し、かつ、上方段と下方段とを有する、垂直向流多段反応器を提供する工程と、
ｃ）前記反応器のトップまたはその近くで、直接、前記反応器中に前記第１および第２フィード流れの少なくとも１つを導入する工程と、
ｄ）前記反応器のボトム近くの少なくとも１つの導入ポイントで、前記反応器中にスチームを導入する工程と、
ｅ）前記反応器内の圧力を５０から８００ｐｓｉｇ（０．３４と５．５２ＭＰａ）の間に、および前記反応器のトップでの温度を１９０から２５０℃の間に、および前記反応器のボトムでの温度を２６０から２９０℃の間に維持する工程と、
ｆ）前記反応器のトップでスチーム含有オーバーヘッド流れを取り出す工程と、
ｇ）前記反応器のボトムから、百万グラムのナイロン６当たり約２０グラム当量未満の未反応ニトリル末端基を有するナイロン６ポリマーを含む生成物流れを回収する工程と
を含むことを特徴とする方法。
【請求項２】
前記脱水触媒が
（ａ）酸化アルミニウム、酸化トリウム、酸化セリウム、酸化ジルコニウム、二酸化チタン、三酸化二クロム、青色酸化タングステン、酸化ベリリウム、酸化第一ウラン、酸化バナジウム、マグネシア、青色酸化モリブデン、酸化第一鉄からなる群から選択される金属酸化物と、
（ｂ）シリカまたはホウ素の酸化物と、
（ｃ）アルミニウム、トリウム、セリウム、ジルコニウムおよびマグネシウムの硫酸塩、リン酸塩およびケイ酸塩と、
（ｄ）リン酸、ケイタングステン酸、リンモリブデン酸およびホウリン酸からなる群から選択される酸と
からなる群から選択されることを特徴とする請求項１に記載の方法。
【請求項３】
前記反応器が４００〜８００ｐｓｉｇ（２．７６〜５．５２ＭＰａ）の圧力で運転され、かつ、前記反応器のトップでの温度が２３０〜２５０℃であることを特徴とする請求項１に記載の方法。
【請求項４】
前記第２フィード流れがさらに酸素含有リン化合物を含み、かつ、前記反応器が１００〜３００ｐｓｉｇ（０．６９〜２．０７ＭＰａ）の圧力で運転され、かつ、前記反応器のトップでの温度が１９０〜２２０℃であることを特徴とする請求項１に記載の方法。
【請求項５】
前記酸素含有リン化合物が、亜リン酸、アルキル−およびアリール−置換ホスホン酸、次亜リン酸、リン酸、ならびにアルキル−およびアリール−ホスフィン酸からなる群から選択される少なくとも１種の化合物であることを特徴とする請求項４に記載の方法。
【請求項６】
前記酸素含有リン化合物が、第２フィード流れ中の全有機物質に対して０．０５〜０．３重量パーセントの量で存在することを特徴とする請求項５に記載の方法。
【請求項７】
前記酸素含有リン化合物が、リン酸、亜リン酸、フェニルホスフィン酸、および２−（２’−ピリジル）エチルホスホン酸からなる群から選択されることを特徴とする請求項６に記載の方法。
【請求項８】
前記酸素含有リン化合物が、第２フィード流れ中の全有機物質に対して０．１〜０．２重量パーセントの量で存在することを特徴とする請求項７に記載の方法。
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
(A)下記の(i)と(ii)の反応生成物であり、得られるエステル混合物が40℃で少なくとも約120cStの粘度を有するポリオールエステル基材:
(i)主要割合の、ジペンタエリトリトールを含むポリオール混合物と、
(ii)少なくとも１種のC5〜C12モノカルボン酸、
および、
(B)有効量の、少なくとも１種のオリゴマー状アミン系酸化防止剤、極圧/耐摩耗剤、および微量の有効量の腐食防止剤、を含む添加剤パッケージ、
を含む合成ポリオールエステル系潤滑剤。
【請求項２】
前記ポリオール混合物が約85重量パーセントのジペンタエリトリトールである、請求項1に記載の合成潤滑剤。
【請求項３】
前記少なくとも１種のC5〜C12モノカルボン酸がカルボン酸混合物であって、約25重量パーセント〜50重量パーセントのC7〜C8〜10酸、および50重量パーセント〜75重量パーセントのiso-C9酸を含む、請求項1に記載の合成潤滑剤。
【請求項４】
ポリメタクリラート共重合体およびポリアクリラート共重合体ならびにそれらの混合物からなる群から選択される粘度指数向上剤をさらに含む、請求項1に記載の合成潤滑剤。
【請求項５】
前記粘度指数向上剤が、キャリアを除いて約1重量パーセント〜5重量パーセントのポリマーを含むポリメタクリラート共重合体である、請求項4に記載の合成潤滑剤。
【請求項６】
前記添加剤パッケージにおける前記オリゴマー状アミン系酸化防止剤が、フェノール性化合物、アミン、およびメチレンビス(ジチオカルバマート類)、ならびにそれらの混合物からなる群から選択される少なくとも1つである、請求項1に記載の合成潤滑剤。
【請求項７】
前記極圧/耐摩耗剤が、有機リン化合物および有機イオウ化合物ならびにそれらの混合物からなる群から選択される少なくとも1つを含む、請求項1に記載の合成潤滑剤。
【請求項８】
前記腐食防止剤が少なくとも1つの複素環窒素化合物である、請求項1に記載の合成潤滑剤。
【請求項９】
前記酸化防止剤が、少なくともオリゴマー状芳香族アミン、メチレンビス(ジチオカルバミン酸ジブチル)、および4,4'-メチレンビス(2,6-ジ-t-ブチルフェノール)を含む、請求項6に記載の合成潤滑剤。
【請求項１０】
前記極圧剤が、ノニル化されたホスホロチオン酸トリフェニルおよびジチオリン酸ジアルキルエステルの少なくとも1つである、請求項7に記載の合成潤滑剤。
【請求項１１】
前記腐食防止剤がトリアゾール化合物である、請求項8に記載の合成潤滑剤。
【請求項１２】
前記トリアゾール化合物がベンゾトリアゾールである、請求項11に記載の合成潤滑剤。
【請求項１３】
前記粘度指数向上剤が少なくとも1つのポリメタクリラート共重合体である、請求項4に記載の合成潤滑剤。
【請求項１４】
15.6°Fにおける密度が約8.0lbs./gal.〜8.25lbs./gal.であり、総酸価が約0.01〜0.15であり、流動点が約-31℃であり、引火点が約285℃であり、かつ40℃における粘度が約270cSt〜330cStである潤滑剤を得るための、
(A)下記の(i)と(ii)の反応生成物であり、得られるエステル混合物が40℃で少なくとも約120cStの粘度を有するポリオールエステル基材:
(i)主要割合のジペンタエリトリトールを含むポリオール混合物と、
(ii)下記の(a)および(b)を含むC5〜C12モノカルボン酸の混合物:
(a)約25重量パーセント〜50重量パーセントの直鎖C7〜C8〜10酸、および
(b)約50重量パーセント〜75重量パーセントのiso-C9酸;
(B)前記基材の40℃における粘度を約240cSt〜300cStに増大させるために効果的な粘度指数向上剤;ならびに
(C)少なくとも1つのオリゴマー状芳香族アミンを含む約3重量パーセント〜8重量パーセントの間の酸化防止剤、約1重量パーセント〜4重量パーセントの間の極圧/耐摩耗剤、および微量の有効量の腐食防止剤を含む添加剤パッケージ、
を含む合成ポリオールエステル系潤滑剤。
【請求項１５】
前記ポリオール混合物が約85重量パーセントのジペンタエリトリトールである、請求項14に記載の合成潤滑剤。
【請求項１６】
前記カルボン酸混合物が、約15重量パーセント〜20重量パーセントのC7酸、約65重量パーセント〜70重量パーセントのiso-C9酸、および約12重量パーセント〜18重量パーセントのC8〜10酸を含む、請求項14に記載の合成潤滑剤。
【請求項１７】
前記粘度指数向上剤が、ポリメタクリラート共重合体およびポリアクリラート共重合体ならびにそれらの混合物からなる群から選択される少なくとも1つである、請求項14に記載の合成潤滑剤。
【請求項１８】
前記粘度指数向上剤が、キャリアを除いて約1重量パーセント〜5重量パーセントのポリマーを含むポリメタクリラート共重合体である、請求項14に記載の合成潤滑剤。
【請求項１９】
前記酸化防止剤が、フェノール性化合物、メチレンビス(ジチオカルバマート)、およびそれらの混合物からなる群から選択される少なくとも1つをさらに含む、請求項14に記載の合成潤滑剤。
【請求項２０】
前記極圧/耐摩耗剤が、有機リン化合物および有機イオウ化合物ならびにそれらの混合物からなる群から選択される少なくとも1つを含む、請求項14に記載の合成潤滑剤。
【請求項２１】
前記腐食防止剤が少なくとも1つの複素環窒素化合物である、請求項14に記載の合成潤滑剤。
【請求項２２】
前記酸化防止剤が、少なくともメチレンビス(ジチオカルバミン酸ジブチル)および4,4'-メチレンビス(2,6-ジ-t-ブチルフェノール)をさらに含む、請求項14に記載の合成潤滑剤。
【請求項２３】
前記極圧剤が、ノニル化されたホスホロチオン酸トリフェニルおよびジチオリン酸ジアルキルエステルの少なくとも1つである、請求項20に記載の合成潤滑剤。
【請求項２４】
前記腐食防止剤がトリアゾール化合物である、請求項21に記載の合成潤滑剤。
【請求項２５】
前記トリアゾール化合物がベンゾトリアゾールである、請求項24に記載の合成潤滑剤。
【請求項２６】
粘度指数向上剤が少なくとも1つのポリメタクリラート共重合体である、請求項17に記載の合成潤滑剤。
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
式：
【化１】
2004528311.tif 000001
［式中、Ｘ１およびＸ２は独立して、−Ｆ、−Ｃｌ、−Ｂｒおよび−ＯＳＯ２Ｒ１から選ばれる；
Ｙ１およびＹ２は独立して、−ＣＮ、−ＮＯ２、−ＣＯＲ１、−ＣＯＮＲ１Ｒ２、−ＳＯ２Ｒ１および−ＳＯ２ＮＲ１Ｒ２から選ばれる；および
各Ｒ１は独立して、置換されてもよいアルキル、置換されてもよいアリールおよび置換されてもよいアラルキルから選ばれる；
各Ｒ２は独立して、Ｈ、置換されてもよいアルキル、置換されてもよいアリールおよび置換されてもよいアラルキルから選ばれる］
で示される化合物およびその医薬的に許容しうる塩。
【請求項２】
Ｘ１およびＸ２が、同一である請求項１に記載の化合物。
【請求項３】
Ｙ１およびＹ２が、同一である請求項１または２に記載の化合物。
【請求項４】
Ｘ１およびＸ２が独立して、−Ｆおよび−Ｃｌから選ばれる請求項１〜３のいずれか１つに記載の化合物。
【請求項５】
Ｙ１およびＹ２が独立して、−ＣＮ、−ＮＯ２および−ＣＯＲ１から選ばれる請求項１〜４のいずれか１つに記載の化合物。
【請求項６】
１,３−ビス(４−クロロ−３−ニトロフェニル)ウレアである請求項１に記載の化合物。
【請求項７】
請求項１〜６のいずれか１つに記載の化合物および医薬的に許容しうる賦形剤を含む医薬組成物。
【請求項８】
Ｆａｓ媒介アポトーシスの刺激剤の投与によって治療可能な疾患の治療のための医薬の製造のための請求項１〜６のいずれか１つに記載の化合物およびその医薬的に許容しうる塩の使用。
【請求項９】
疾患が、自己免疫疾患、感染症および悪性腫瘍から選ばれる請求項８に記載の使用。
【請求項１０】
治療有効量の請求項１〜６のいずれか１つに記載の化合物および医薬的に許容しうる賦形剤を含む、Ｆａｓ媒介アポトーシスの刺激剤の投与によって治療可能な哺乳動物における疾患の治療のための医薬組成物。
【請求項１１】
疾患が、自己免疫疾患、感染症および悪性腫瘍から選ばれる請求項１０に記載の組成物。
【請求項１２】
慣例の形態の該疾患の療法と組み合わせて投与される請求項１１に記載の組成物。
【請求項１３】
慣例の形態の療法が、免疫抑制剤、抗炎症剤、抗ウイルス剤、抗菌剤、抗真菌剤および抗がん性化学療法剤から選ばれる薬物を含む請求項１２に記載の組成物。
【請求項１４】
式Ｉ：
【化２】
2004528311.tif 000002
［式中、Ｘ１およびＸ２は独立して、−Ｆ、−Ｃｌ、−Ｂｒおよび−ＯＳＯ２Ｒ１から選ばれる；
Ｙ１およびＹ２は独立して、−ＣＮ、−ＮＯ２、−ＣＯＲ１、−ＣＯＮＲ１Ｒ２、−ＳＯ２Ｒ１および−ＳＯ２Ｒ１Ｒ２から選ばれる；および
各Ｒ１は独立して、置換されてもよいアルキル、置換されてもよいアリールおよび置換されてもよいアラルキルから選ばれる；
各Ｒ２は独立して、Ｈ、置換されてもよいアルキル、置換されてもよいアリールおよび置換されてもよいアラルキルから選ばれる］
で示される化合物およびその医薬的に許容しうる塩の製造方法であって、
（ａ）式：
【化３】
2004528311.tif 000003
［式中、Ｘ１およびＹ１は前記と同意義］
で示される化合物を式：
【化４】
2004528311.tif 000004
［式中、Ｘ２およびＹ２は前記と同意義］
で示される化合物と反応させること
；または
（ｂ）式：
【化５】
2004528311.tif 000005
［式中、Ｘは、−Ｆ、−Ｃｌ、−Ｂｒおよび−ＯＳＯ２Ｒ１から選ばれる；
Ｙは、−ＣＮ、−ＮＯ２、−ＣＯＲ１、−ＣＯＮＲ１Ｒ２、−ＳＯ２Ｒ１および−ＳＯ２ＮＲ１Ｒ２から選ばれる；および
各Ｒ１は独立して、置換されてもよいアルキル、置換されてもよいアリールおよび置換されてもよいアラルキルから選ばれる；
各Ｒ２は独立して、Ｈ、置換されてもよいアルキル、置換されてもよいアリールおよび置換されてもよいアラルキルから選ばれる］
で示される化合物を水の存在下で反応させて、Ｘ１およびＸ２が同一であって、Ｘであり、Ｙ１およびＹ２が同一であって、Ｙである式Ｉの化合物を得る；または
（ｃ）式Ｉの化合物を対応する塩基付加または酸付加塩に変換すること；または
（ｄ）式Ｉの化合物の塩を遊離化合物に変換すること；または
（ｅ）式Ｉの化合物の塩を医薬的に許容しうる塩に変換すること；または
（ｆ）式Ｉの化合物の立体異性体の混合物を個々の立体異性体に分割すること；
を含む方法。
【手続補正２】
【補正対象書類名】明細書
【補正対象項目名】０００３
【補正方法】変更
【補正の内容】
【０００３】
本発明の第１の態様は、式：
【化１】
2004528311.tif 000006
［式中、Ｘ１およびＸ２は独立して、−Ｆ、−Ｃｌ、−Ｂｒおよび−ＯＳＯ２Ｒ１から選ばれる；
Ｙ１およびＹ２は独立して、−ＣＮ、−ＮＯ２、−ＣＯＲ１、−ＣＯＮＲ１Ｒ２、−ＳＯ２Ｒ１および−ＳＯ２ＮＲ１Ｒ２から選ばれる；および
各Ｒ１は独立して、置換されてもよいアルキル、置換されてもよいアリールおよび置換されてもよいアラルキルから選ばれる；
各Ｒ２は独立して、Ｈ、置換されてもよいアルキル、置換されてもよいアリールおよび置換されてもよいアラルキルから選ばれる］
で示される化合物およびその医薬的に許容しうる塩である。
【手続補正３】
【補正対象書類名】明細書
【補正対象項目名】００１０
【補正方法】変更
【補正の内容】
【００１０】
（ｂ）化合物
第１の態様において、本発明は、式：
【化２】
2004528311.tif 000007
［式中、Ｘ１およびＸ２は独立して、−Ｆ、−Ｃｌ、−Ｂｒおよび−ＯＳＯ２Ｒ１から選ばれる；
Ｙ１およびＹ２は独立して、−ＣＮ、−ＮＯ２、−ＣＯＲ１、−ＣＯＮＲ１Ｒ２、−ＳＯ２Ｒ１および−ＳＯ２ＮＲ１Ｒ２から選ばれる；および
各Ｒ１は独立して、置換されてもよいアルキル、置換されてもよいアリールおよび置換されてもよいアラルキルから選ばれる；
各Ｒ２は独立して、Ｈ、置換されてもよいアルキル、置換されてもよいアリールおよび置換されてもよいアラルキルから選ばれる］
で示される化合物およびその医薬的に許容しうる塩である。
【手続補正書】
【提出日】平成17年11月8日(2005.11.8)
【手続補正１】
【補正対象書類名】明細書
【補正対象項目名】００２０
【補正方法】変更
【補正の内容】
【００２０】
ブロックコポリマーの水素化は、米国特許第３，７００，７４８号、米国特許第３，６６３，６３５号、ドイツ特許第３４０１９８３号、米国特許第５，０３９，７５５号、米国特許第５，１３２，３７２号、欧州特許第３３９９８６号、欧州特許第４３４４６９号、欧州特許第５４４３０４号、欧州特許第７９５５６４号、欧州特許第８１０２３１号、および国際特許公開ＷＯ９５２５１３０号に記載の水素化法と類似の方法で行うことができる。特に適切である部分的な選択的水素化法は、Ｍ．Ｄ．Ｐａｒｅｌｌａｄａ、Ｊ．Ａ．Ｂａｒｒｉｏ、Ｊ．Ａ．Ｄｅｌｇａｄｏの論文「Ｍｅｔａｌｌｏｃｅｎｅｓ：ｈｏｍｏｇｅｎｅｏｕｓ  ｃａｔａｌｙｓｔｓ  ｆｏｒ  ｅｌａｓｔｏｍｅｒ  ｈｙｄｒｏｇｅｎａｔｉｏｎ」（Ｒｅｖ．Ｒ．Ａｃｅｄ．Ｃｉｅｎｃ．Ｅｘａｃｔａｓ、Ｆｉｓ．Ｎａｔ．Ｍａｄｒｉｄ（１９９３）、８７（１）、１２７−９）、ならびに欧州特許第５４５８４４号、欧州特許第５８４８６０号、特開平０４０９６９０４号、欧州特許第３０２５０５号、日本特許文書第０８１０６４９０号、および米国特許第５，９２５，７１７号の特許文献に記載されている。特に適切なものは、総含有モル数／繰り返し単位のモル数に基づいて計算して、３モル％以下の１，２−ブタジエン繰り返し単位（Ａ）および３モル％以下のエチレン繰り返し単位（Ｄ）を含む、部分的に選択的に水素化されたブタジエンポリマーの調製方法を記載した、２０００年７月２８日出願の同時係属の欧州特許出願番号０３０６４３５．９に記載された方法であり、この方法では、１，２−ブタジエン繰り返し単位（Ａ）および１，４−ブタジエン繰り返し単位（Ｂ）を含むブタジエンポリマーを、水素化触媒としてのチタン、ジルコニウムおよび／またはハフニウムベースのメタロセン化合物、および助触媒の存在下で水素化し、
ａ）水素化触媒は、５を超える反応速度比ｒ１／ｒ２（ｒ１およびｒ２はそれぞれ、同一の反応条件での繰り返し単位（Ａ）および（Ｂ）の水素化速度である）を有し、
ｂ）助触媒はアルカリ金属水素化物であり、それとして添加されるか、あるいはその場で調製され、
ｃ）共役ジエンの水素化は、繰り返し単位（Ａ）の少なくとも９７％が水素化されるまで実施されることを特徴とする。
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
−  １-(３-ベンジルオキシ-プロピル)４,５-ジフェニル-イミダゾール；
−  １-(４-ベンジルオキシ-ブチル)４,５-ジフェニル-イミダゾール；
−  １-(５-ベンジルオキシ-ペンチル)４,５-ジフェニル-イミダゾール；
−  １-[３-(２,３,４-トリメトキシベンジルオキシ)-プロピル]４,５-ジフェニル-イミダゾール；
−  １-[４-(２,３,４-トリメトキシベンジルオキシ)-ブチル]４,５-ジフェニル-イミダゾール；
−  １-[５-(２,３,４-トリメトキシベンジルオキシ)-ペンチル]４,５-ジフェニル-イミダゾール；
−  １-[３-(３,４-ジメトキシベンジルオキシ)-プロピル]４,５-ジフェニル-イミダゾール；
−  １-[４-(３,４-ジメトキシベンジルオキシ)-ブチル]４,５-ジフェニル-イミダゾール；
−  １-[５-(３,４-ジメトキシベンジルオキシ)-ペンチル]４,５-ジフェニル-イミダゾール；
−  １-[３-(３-メトキシベンジルオキシ)-プロピル]４,５-ジフェニル-イミダゾール；
−  １-[４-(３-メトキシベンジルオキシ)-ブチル]４,５-ジフェニル-イミダゾール；
−  １-[５-(３-メトキシベンジルオキシ)-ペンチル]４,５-ジフェニル-イミダゾール；
−  １-[３-(４-メトキシベンジルオキシ)-プロピル]４,５-ジフェニル-イミダゾール；
−  １-[４-(４-メトキシベンジルオキシ)-ブチル]４,５-ジフェニル-イミダゾール；
−  １-[５-(４-メトキシベンジルオキシ)-ペンチル]４,５-ジフェニル-イミダゾール；
−  １-[３-(４-ベンジルオキシ-３-メトキシベンジルオキシ)-プロピル]４,５-ジフェニル-イミダゾール；
−  １-[４-(４-ベンジルオキシ-３-メトキシベンジルオキシ)-ブチル]４,５-ジフェニル-イミダゾール；
−  １-[５-(４ベンジルオキシ-３-メトキシベンジルオキシ)-ペンチル]４,５-ジフェニル-イミダゾール；
−  １-[３-(１-ナフタレン-メトキシ)-プロピル]４,５-ジフェニル-イミダゾール；
−  １-[４-(１-ナフタレン-メトキシ)-ブチル]４,５-ジフェニル-イミダゾール；
−  １-[５-(１-ナフタレン-メトキシ)-ペンチル]４,５-ジフェニル-イミダゾール；
から選択される１-アルキル-４,５-ジフェニル-イミダゾールファミリーの化合物あるいはその生理学的に許容可能な塩又はその光学もしくは幾何異性体。
【請求項２】
−  １-(３-ベンジルオキシ-プロピル)４,５-ジフェニル-イミダゾール；
−  １-(４-ベンジルオキシ-ブチル)４,５-ジフェニル-イミダゾール；
から選択される、請求項１に記載の化合物。
【請求項３】
１-(３-ベンジルオキシ-プロピル)４,５-ジフェニル-イミダゾールであることを特徴とする請求項１に記載の化合物。
【請求項４】
請求項１ないし３のいずれか１項に記載の少なくとも一の化合物を含有する組成物。
【請求項５】
化粧品的又は製薬的用途を意図していることを特徴とする請求項４に記載の組成物。
【請求項６】
組成物の全重量に対して０．００１％〜２０％の量、好ましくは組成物の全重量に対して０．０１％〜５％の量で、少なくとも一の請求項１に記載の化合物を含有していることを特徴とする、請求項４又は５に記載の化粧品用組成物。
【請求項７】
抗菌剤、駆虫剤、抗真菌剤、抗ウィルス剤、抗炎症剤、止痒剤、麻酔剤、角質溶解剤、フリーラジカル捕捉剤、抗脂漏剤、抗フケ剤、抗ざ瘡剤及び／又は皮膚の分化及び／又は増殖及び／又は色素沈着を低減する薬剤、毛髪の再成長における活性を改善し、及び／又は抜毛を停止させるための薬剤、及び植物及び／又は細菌由来の抽出物から選択される少なくとも一の薬剤をさらに含有していることを特徴とする、請求項４ないし６のいずれか１項に記載の組成物。
【請求項８】
抗炎症剤が、ステロイド系又は非ステロイド系の抗炎症剤から選択されることを特徴とする請求項７に記載の組成物。
【請求項９】
化粧品的又は製薬的に許容可能な媒体中に、刺激性副作用を有する少なくとも一の生成物と、請求項１ないし３のいずれか１項に記載の１-アルキル-４,５-ジフェニル-イミダゾールファミリーの少なくとも一の化合物を含有せしめてなることを特徴とする化粧品用又は製薬用組成物。
【請求項１０】
刺激性副作用を有する生成物が、イオン性又は非イオン性の界面活性剤、防腐剤、有機溶媒又は活性剤、α-ヒドロキシ酸、β-ヒドロキシ酸、α-ケト酸、β-ケト酸、レチノイド類、アントラリン類、アントラノイド類、過酸化物、ミノキシジル、リチウム塩、代謝拮抗物質、ビタミンＤとその誘導体、毛髪用染料又は毛髪用着色料、芳香性アルコール溶液、制汗剤、脱毛用活性剤、パーマネントウエーブ用活性剤、及び色素脱失活性剤から選択されることを特徴とする請求項９に記載の組成物。
【請求項１１】
鎮静組成物中への又は鎮静組成物の調製のための、生理学的に許容可能な媒体中の、請求項１ないし３のいずれか１項に記載の１-アルキル-４,５-ジフェニル-イミダゾールファミリーの少なくとも一の化合物の使用。
【請求項１２】
化合物又は組成物が、敏感肌、不快感、突っ張り感、掻痒、刺激、発赤、温熱感及び／又は炎症感、有利には過敏性及び／又は炎症性及び／又は反応性及び／又は不耐性、特に刺すような痛み、チクチクする痛み、掻痒又は痒み、炎症感、不快感、突っ張り感等のある皮膚及び／又は頭皮及び／又は粘膜の徴候等から選択される、皮膚障害の緩和を意図していることを特徴とする請求項１１に記載の使用。
【請求項１３】
化粧品用組成物中への又は製薬用組成物の調製のための、生理学的に許容可能な媒体中の、請求項１ないし３のいずれか１項に記載の１-アルキル-４,５-ジフェニル-イミダゾールファミリーの少なくとも一の化合物の使用であって、化合物又は組成物が男性における自然な抜毛、有利にはアンドロゲン性脱毛症を低減し及び／又は安定化させることを意図している使用。
【請求項１４】
請求項１に記載の少なくとも一の化合物を含有する化粧品用組成物を、皮膚及び／又は粘膜及び／又は頭皮に適用し、皮膚及び／又は粘膜及び／又は頭皮と接触させて放置し、場合によってはすすぐことからなることを特徴とする、敏感肌、不快感、突っ張り感、掻痒、刺激、発赤、温熱感及び／又は炎症感、有利には過敏性及び／又は炎症性及び／又は反応性及び／又は不耐性の皮膚及び／又は頭皮及び／又は粘膜の徴候から選択される少なくとも一の皮膚障害の緩和を意図した、皮膚及び／又は頭皮及び／又は粘膜の美容処理方法。
【請求項１５】
過敏性及び／又は炎症性及び／又は反応性及び／又は不耐性の皮膚及び／又は頭皮及び／又は粘膜用であることを意図していることを特徴とする、請求項１４に記載の美容処理方法。
【請求項１６】
男性における自然な抜毛の美容処理を意図していることを特徴とする、請求項１４又は１５に記載の美容処理方法。